【事件の表示】
　特願２００３−４３５７３０「ヒートシンクファン」拒絶査定不服審判事件〔平成１７年　７月２１日出願公開、特開２００５−１９７３０３〕について、次のとおり審決する。
【結　論】
　本件審判の請求は、成り立たない。
【理　由】
第１　手続の経緯
　本願は、平成１５年１２月２６日の出願であって、平成２０年　２月１４日付けの拒絶理由が通知され、同年　６月２７日付けで拒絶査定がなされ、これに対して、同年　８月２１日に拒絶査定不服審判の請求がなされるとともに、同日付けの手続補正がなされたものである。
　
　
第２　平成２０年　８月２１日付けの手続補正についての補正の却下の決定
［補正却下の決定の結論］
　平成２０年　８月２１日付けの手続補正（以下、「本件補正」という。）を却下する。
　
［理　由］
１．補正前及び補正後の本願発明
　本件補正は、特許請求の範囲及び発明の詳細な説明についてするもので、特許請求の範囲については、補正前に
　
「【請求項１】
　電子部品を冷却するヒートシンクファンであって、
　中心軸を有する柱状の基部と、該中心軸から離れる方向に放射状に延伸し且つ終端縁を有する複数の板状放熱フィンと、を有するヒートシンクと、
　前記中心軸と略同軸上に配置され前記ヒートシンクに対し冷却用の空気流を供給する軸流ファンと、前記中心軸の軸線方向一端側に配置され前記軸流ファンを支持するハウジングと、該ハウジングから前記ヒートシンクの他端側に延伸する腕部と、該腕部の先端部に形成された係合部と、を有するファンモータ部と、を備え、
　前記放熱フィンの終端縁にて形成される前記ヒートシンク側周包絡面には、前記中心軸から離れる方向に突出する凸部又は前記中心軸に向かう方向に窪む凹部が形成され、該凸部又は凹部に前記係合部が係合することにより前記ファンモータ部の軸線方向への移動が規制されていることを特徴とするヒートシンクファン。
【請求項２】
　前記凸部又は凹部は、前記ヒートシンクが成形された後、前記包絡面を機械加工することにより成形されることを特徴とする請求項１記載のヒートシンクファン。
【請求項３】
　前記複数の放熱フィンの包絡面には平坦部が形成され、該平坦部は、前記中心軸に平行し且つ前記放熱フィンの前記中心軸から離れた方向への延伸量を調節することにより形成されていることを特徴とする請求項１記載のヒートシンクファン。
【請求項４】
　前記放熱フィンは、前記中心軸から離れる方向に放射状に延伸しており、且つ前記中心軸に対し所定方向に湾曲しつつ延伸していることを特徴とする請求項１記載のヒートシンクファン。
【請求項５】
　前記放熱フィンは、前記中心軸から離れる方向に放射状に延伸しており、且つ前記中心軸に対し所定方向に傾いて延伸していることを特徴とする請求項１記載のヒートシンクファン。
【請求項６】
　前記係合部は、前記腕部の先端部から前記中心軸に向かう方向に延伸する爪状に形成されていることを特徴とする請求項１記載のヒートシンクファン。
【請求項７】
　前記ハウジングには、前記包絡面に当接し、且つ該ハウジングから前記ヒートシンクの他端側に延伸する突出部が少なくとも一つ形成され、該突出部と前記腕部とにより、前記ファンモータ部の前記中心軸から離れる方向への移動が規制されていることを特徴とする
請求項１記載のヒートシンクファン。
【請求項８】
　電子部品上に載置されるヒートシンクの製造方法であって、
　中心軸を有する柱状の基部と、該基部から前記中心軸から離れる方向に放射状に延伸し且つ終端縁を有する複数の板状放熱フィンと、を有するヒートシンクを成形する工程と、
　前記成形されたヒートシンクの終端縁に形成される前記ヒートシンク側周包絡面に、前記中心軸から離れる方向に突出する凸部又は前記中心軸に向かう方向に窪む凹部を機械加工によって成形する工程と、を含むことを特徴とするヒートシンクの製造方法。
【請求項９】
　電子部品上に載置されるヒートシンクの製造方法であって、
　中心軸を有する柱状の基部を成形する工程と
　前記基部から前記中心軸から離れる方向に放射状に延伸し且つ終端縁を有する複数の板状放熱フィンと、該放熱フィンの中心に位置する中心孔と、を有するヒートシンクを成形する工程と、
　前記成形されたヒートシンクの終端縁に形成される前記ヒートシンク側周包絡面に、前記中心軸から離れる方向に突出する凸部又は前記中心軸に向かう方向に窪む凹部を機械加工によって成形する工程と、
　前記ヒートシンクの中心孔に前記基部を圧入して固定する工程と、を含むことを特徴とするヒートシンクの製造方法。」
　
とあったものを、
　
「【請求項１】
　電子部品を冷却するヒートシンクファンであって、
　中心軸を有する柱状の基部と、該中心軸から離れる方向に放射状に延伸し且つ終端縁を有する複数の板状放熱フィンと、を有するヒートシンクと、
　前記中心軸と同軸上に配置され前記ヒートシンクに対し冷却用の空気流を供給する軸流ファンと、前記中心軸の軸線方向一端側に配置され前記軸流ファンを支持するハウジングと、該ハウジングから前記ヒートシンクの他端側に延伸する一対の腕部と、該両腕部のそれぞれの先端部に形成された係合部と、を有するファンモータ部と、を備え、
　前記放熱フィンの終端縁にて形成される前記ヒートシンク側周包絡面には、周方向に間隔を開けた２箇所の位置に、前記中心軸に向かう方向に窪む凹部が形成され、該両凹部に前記両係合部が係合することにより前記ファンモータ部の軸線方向への移動が規制されていることを特徴とするヒートシンクファン。
【請求項２】
　前記凹部は、前記ヒートシンクが成形された後、前記包絡面を機械加工することにより成形されることを特徴とする請求項１記載のヒートシンクファン。
【請求項３】
　前記係合部は、前記腕部の先端部から前記中心軸に向かう方向に延伸する爪状に形成されていることを特徴とする請求項１記載のヒートシンクファン。」
と補正しようとするものである。
　
　次に、補正の適否について検討する。
（１）　本件補正により、補正前の請求項１に係る発明の特定事項である「中心軸と略同軸上に配置され」を、補正後の請求項１では「中心軸と同軸上に配置され」とする補正であり、平成１８年法律第５５号改正附則第３条第１項によりなお従前の例によるとされる同法による改正前の特許法第１７条の２第４項第４号に規定する、明りょうでない記載の釈明を目的とするものに該当する。
　
（２）　本件補正前の請求項１に係る発明の特定事項である「該ハウジングから前記ヒートシンクの他端側に延伸する腕部と、該腕部の先端部に形成された係合部」を、本件補正後の請求項１では「該ハウジングから前記ヒートシンクの他端側に延伸する一対の腕部と、該両腕部のそれぞれの先端部に形成された係合部」と、腕部の数を１対と限定と限定する補正であり、また、本件補正前の請求項１に係る発明の特定事項である「放熱フィンの終端縁にて形成される前記ヒートシンク側周包絡面には、前記中心軸から離れる方向に突出する凸部又は前記中心軸に向かう方向に窪む凹部が形成され、該凸部又は凹部に前記係合部が係合する」を、本件補正後の請求項１では「放熱フィンの終端縁にて形成される前記ヒートシンク側周包絡面には、周方向に間隔を開けた２箇所の位置に、前記中心軸に向かう方向に窪む凹部が形成され、該両凹部に前記両係合部が係合する」と、凸部に係る事項を削除し、凹部の数を２箇所にと、それぞれを限定する補正であるから、平成１８年法律第５５号改正附則第３条第１項によりなお従前の例によるとされる同法による改正前の特許法第１７条の２第４項第２号に規定する、特許請求の範囲の減縮を目的とするものに該当する。
　
（３）　本件補正前の請求項３〜５、７〜９を削除する補正は、平成１８年法律第５５号改正附則第３条第１項によりなお従前の例によるとされる同法による改正前の特許法第１７条の２第４項第１号に規定する、第３６条第５項に規定する請求項の削除を目的とするものに該当する。
　
　そこで、上記補正による補正後の請求項１に係る発明（以下、「本願補正発明」という。）が特許出願の際独立して特許を受けることができるものであるのか否か（平成１８年法律第５５号改正附則第３条第１項によりなお従前の例によるとされる同法による改正前の特許法第１７条の２第５項において準用する同法第１２６条第５項の規定に適合するものであるのか否か）について検討する。
　
　
２．引用例 
　原査定で拒絶の理由に引用された、本願の出願前に国内において頒布された刊行物である特開２００３−２５８４７３号公報（以下「刊行物１」という。）には、次の事項が記載されている。 
 　 
刊行物１：特開２００３−２５８４７３号公報（拒絶理由通知の引用文献１）  
　
（１ａ）「本発明は、・・・・・特にＣＰＵ等の電子部品を冷却するのに好適な冷却装置に関するものである。」　　　　　　（【０００１】）
　
（１ｂ） 「【発明の実施の形態】以下、本発明に係るヒートシンクを備えた冷却装置の実施の形態を図面を参照して詳細に説明する。図１は本発明の冷却装置の実施の形態の分解斜視図である。図１に示されるように、この冷却装置は、ヒートシンク１と冷却用ファン２とから構成されている。ヒートシンク１は表面５ａと熱源が接触する裏面５ｂとを備えた基板５と、放射方向に配列されたプレート状フィンからなる第一のフィン群３と、・・・・から構成されている。　・・・・・
　冷却用ファン２は、インペラ６を備えている。このインペラ６は、複数枚のブレード７を有し、モータ１０によって回転させられる。モータ１０のハウジングは３本のウエブ１１によってケーシング８に支持されている。ケーシング８にはモータ１０の回転軸を対称にして、２箇所に固定用つめ９が形成されている。・・・・・
　第一のフィン群３の放熱フィン外周側面部にはそれぞれ冷却ファン固定用つめ９と勘合可能な凹部９ａが形成されている。・・・・・・」
　　　　　　　　　　　　　　　　（【００１１】〜【００１３】）
　
（１ｃ）　「冷却用ファン２によってモータ１０の回転軸の軸線方向から第一のフィン群３に対して吹き付けられた空気は、複数枚のプレート状放熱フィンの隣接するフィン間を流れ、基板表面５ａに沿って第一のフィン群の外周方向へ排出される。」　　　　　　　　　（【００１４】）
　
　
（ア）　記載事項（１ｂ）に「放射方向に配列されたプレート状フィンからなる第一のフィン群３」と記載されていることから、プレート状フィンを放射方向に配列するため、基準となる中心軸を有することは自明である。また、同記載事項（ｂ）には「プレート状フィンからなる第一のフィン群３」及び「第一のフィン群３の放熱フィン外周側面部」と記載されていることから、第一のフィン群３の放熱フィンは、外周側面部を形成するものであるから、放熱フィンは外周側面を形成するための終端縁を有することは明らかである。
　よって、プレート状フィンは、中心軸から離れる方向に放射状に延伸し且つ終端縁を有するものといえる。
　
（イ）　記載事項（１ｂ）に「第一のフィン群３の放熱フィン外周側面部にはそれぞれ冷却ファン固定用つめ９と勘合可能な凹部９ａが形成されている。」との記載されているから、固定用つめ９には、放熱フィン外周側面部に形成された凹部９ａに勘合可能な凸部があると認められる。また、「本発明の冷却装置の実施の形態の分解斜視図である」図１には、部材番号９の先端部に凸部があると見て取れる。よって、部材番号９である「固定用つめ」の先端部には、放熱フィン外周側面部の凹部９ａに勘合する凸部が形成されているといえる。
　さらに、該凹部９ａの冷却ファンの回転軸の軸線方向の幅が、周方向の幅よりも短いことから、該凹部９ａに前記凸部が勘合することにより冷却ファンの回転軸の軸線方向への移動が規制されていることが認められる。 
　
　
　そこで、上記（ア）〜（イ）の検討を踏まえて、記載事項（１ａ）〜（１ｃ）を本願補正発明の記載ぶりに則して整理すると、刊行物１には、
 「電子部品を冷却するヒートシンクを備えた冷却装置であって、
　中心軸から離れる方向に放射状に延伸し且つ終端縁を有する複数のプレート状フィンからなる第１のフィン群と、を有するヒートシンクと、
　前記中心軸と同軸上に配置され前記ヒートシンクに対し冷却用の空気流を供給する複数枚のブレードを有するインペラと、前記中心軸の軸線方向一端側に配置され、前記インペラを回転させるモータを支持するケーシングと、該ケーシングから前記ヒートシンクの他端側に延伸し、前記モータの回転軸を対称にして２箇所に形成された固定用つめと、該両固定用つめのそれぞれの先端部に形成された凸部と、を有する冷却用ファンと、を備え、
　前記第１のフィン群の放熱フィン外周側面部には、凹部が形成され、該凹部に前記凸部が勘合することにより冷却用ファンの回転軸の軸線方向への移動が規制されているヒートシンクを備えた冷却装置。」の発明（以下、「刊行物１発明」という。）が記載されているといえる。
　
　
３． 対比・判断
　
　本願補正発明と刊行物１発明を対比すると、
　
（１）　刊行物１発明における、「ヒートシンクを備えた冷却装置」、「プレート状フィン」、「ケーシング」、「回転軸を対称にして、２箇所に形成された固定用つめ」及び「凸部」は、本願補正発明における「ヒートシンクファン」、「板状放熱フィン」、「ハウジング」、「一対の腕部」及び「係合部」にそれぞれ相当する。
　
（２）　広辞苑（第五版）によると、「軸流送風機」とは、「軸上に取り付けたプロペラ形の羽根によって軸方向に風を送る送風機。プロペラ−ファン。ディスク−ファン。プロペラ送風機。」を意味するものであり、また、広辞苑（第五版）によると、「ファン」とは、「・・・・　送風機。」を意味するものである。
　一方、刊行物１には、前記記載事項（１ｂ）に「冷却用ファン２は、インペラ６を備えている。このインペラ６は、複数枚のブレード７を有し、モータ１０によって回転させられる。」と記載されていることから、冷却用ファンは、インペラ、該インペラを回転させるモータを備えたものである。また、前記記載事項（１ｃ）に「冷却用ファン２によってモータ１０の回転軸の軸線方向から第一のフィン群３に対して吹き付けられた空気」と記載されていることから、空気はモータの回転軸の軸線方向に流れていると認められる。
　よって、刊行物１発明における複数枚のブレードを有するインペラ等を備えた冷却用ファンは、軸流ファンであるといえる。
　
（３）　刊行物１には、前記記載事項（１ｂ）に「冷却用ファン２は、インペラ６を備えている。このインペラ６は、複数枚のブレード７を有し、モータ１０によって回転させられる。モータ１０のハウジングは３本のウエブ１１によってケーシング８に支持されている。」と記載されている。それゆえ、刊行物１発明における「冷却用ファン」は、複数枚のブレード７を有するインペラ６、前記インペラ６を回転させるモータ１０、前記モータ１０を支持するケーシング８等を備えていることは明らかである。
　これに対し、本願補正発明における「ファンモータ部」は、軸流ファンと、前記軸流ファンを支持するハウジングとを有するものであり、また、ファンモータ部であることから、軸流ファンは、モータを有するものであると解される。
　よって、刊行物１発明における「冷却用ファン」は、本願補正発明における「ファンモータ部」に相当する。
　
（４）　本願補正発明における、放熱フィンの終端縁にて形成される「ヒートシンク側周包絡面」とは、本願の明細書段落【００３６】に「終端縁１０ａには、複数の放熱フィン１０の終端縁１０ａの側周を包絡する面（このような面を、以下包絡面１１と記す）が形成されている。」と記載されたように、複数の放熱フィン１０の終端縁１０ａの側周を包絡する面である。
　これに対し、刊行物１発明における「第１のフィン群の放熱フィン外周側面部」は、第１のフィン群の放熱フィンの端部によって形成された部分であると認められることから、包絡する面を形成しているといえる。
　よって、刊行物１発明における「第１のフィン群の放熱フィン外周側面部」は、本願補正発明における「放熱フィンの終端縁にて形成されるヒートシンク側周包絡面」に相当する。
　
（５）　本願の願書に添付された明細書の段落【００４５】には、「図２及び図３に示すように、ヒートシンク２の包絡面１１には、中心軸８に向かう方向に窪む凹部１０ｂが形成されている。」と記載され、また、広辞苑（第五版）によると、「窪む」とは、「一部が落ちこんで低くなる。へこむ。」を意味するものである。
　そして、本願の「本発明のヒートシンクの側面図である」図２には、単に、部材番号２の終端縁にある同１０ｂが、ＭＰＵ上の面６ａと直交する方向に窪むものと見て取れ、前記段落【００４５】の記載及び同明細書の段落【００３６】の「ヒートシンク２は、・・・・、ＭＰＵ・・・上に載置される下端面（図２の６ａ）とその下端面と直交する中心軸８とを有する柱状の基部６を備えている。」と記載によれば、部材番号２、６ａ、１０ｂはそれぞれ「ヒートシンク」、「下端面」、「凹部」であり、かつ、中心軸が下端面と直交するものであるから、本願補正発明におけるヒートシンク側周包絡面に形成された「中心軸に向かう方向に窪む凹部」の「中心軸に向かう方向」とは、単に、凹部の窪む方向を示していると認められる。
　一方、刊行物１には、上記記載事項（１ｂ）に「第一のフィン群３の放熱フィン外周側面部にはそれぞれ・・・・凹部９ａが形成されている。」と記載され、また、「本発明の冷却装置の実施の形態の分解斜視図である。」図１には、部材番号３及び９ａが記載され、「凹部」である９ａは、放熱フィン外周側面部を形成する辺の一部が、放射方向に配列されたプレート状フィンからなる「第一のフィン群」である３の中心軸に向かう方向に窪むものと見て取れる。
　よって、刊行物１発明における、放熱フィン外周側面部に形成された「凹部」は、「中心軸に向かう方向に窪む」ものであるといえる。
　
　
　そうすると、両者は、「電子部品を冷却するヒートシンクファンであって、
　中心軸から離れる方向に放射状に延伸し且つ終端縁を有する複数の板状放熱フィンと、を有するヒートシンクと、
　前記中心軸と同軸上に配置され前記ヒートシンクに対し冷却用の空気流を供給する軸流ファンと、前記中心軸の軸線方向一端側に配置され前記軸流ファンを支持するハウジングと、該ハウジングから前記ヒートシンクの他端側に延伸する一対の腕部と、該両腕部のそれぞれの先端部に形成された係合部と、を有するファンモータ部と、を備え、
　前記放熱フィンの終端縁にて形成される前記ヒートシンク側周包絡面には、前記中心軸に向かう方向に窪む凹部が形成され、該凹部に前記両係合部が係合することにより前記ファンモータ部の軸線方向への移動が規制されているヒートシンクファン。」である点で一致し、以下の点で相違している。
　
（相違点１）
　ヒートシンクについて、本願補正発明１では「中心軸を有する柱状の基部」を有するのに対し、刊行物１発明では、中心軸を有する柱状の基部を有していない点。
　
（相違点２）
　放熱フィンの終端縁にて形成されるヒートシンク側周包絡面に形成される凹部において、本願補正発明１では、凹部が「周方向に間隔を開けた２箇所の位置に形成され」ているのに対し、刊行物１発明では、凹部の位置及び個数について明記されていない点。
　
　これら相違点について検討する。
（相違点１について）
　上部に冷却ファンを備えた放射状のフィンを有するヒートシンクとして、中心軸を有する柱状の基部を有するものは、周知文献１にも記載されているように、従来から周知のものである。
　そして、刊行物１発明は、上部に冷却ファンを備えた放射状のフィンを有するヒートシンクを使用していることから、同様な形状をもつ従来から周知のものである、中心軸を有する柱状の基部と、該中心軸から離れる方向に放射状に延伸し且つ終端縁を有する複数のプレート状フィンと、を有するヒートシンクを選択することは、適宜に決定する設計的事項にすぎない。
　よって、刊行物１発明において、ヒートシンクとして中心軸を有する柱状の基部と、該中心軸から離れる方向に放射状に延伸し且つ終端縁を有する複数のプレート状フィンと、を有するヒートシンクを使用することは当業者においては容易に想到し得ることである。
　
周知文献１：登録実用新案第３０８９４７９号公報
（周１）「・・図２に示すように、円周分布する放熱フィン同士２０ａが中央円柱導熱体２１ａを中心とし、ファン２２ａを合わせて熱エネルギーを円周方向へ発散させ、全体的放熱効果を達成する。」　　　（【０００６】）
　
　
（相違点２について）
　係止用のつめ及び凹部を用いた固着において、凹部は、係止用のつめの位置に対応して設けられれば、固着する目的を達成することができることは、自明である。そして、刊行物１発明にように１対、つまり、２箇所の固定用つめを有する場合に、２箇所の固定用つめに対応して、ヒートシンクの側周包絡面に相当する、第１のフィン群の放熱フィン外周側面部の２箇所に凹部を設けることで、固着することが可能であることから、刊行物１発明において、第１のフィン群の放熱フィン外周側面部の２箇所に凹部を形成することは、当業者において適宜決定すべき設計的事項であると解される。
　また、刊行物１発明では、２箇所の固定用つめがモータの回転軸を対称にして形成されていること、つまり、離れた位置に形成されていることから、凹部を第１のフィン群の放熱フィン外周側面部の周方向に間隔を開けた２箇所の位置に設けること、容易に想到し得ることである。
　さらに、放熱フィンの終端縁にて形成されるヒートシンク側周包絡面には、周方向に間隔を開けた２箇所の位置に、中心軸に向かう方向に窪む凹部が形成され、該両凹部に両係合部が係合することによる作用効果も、当業者が予想しうるものにすぎない。
　
　
４．むすび 
　以上のとおり、本願補正発明は、刊行物１に記載された発明及び従来より周知の事項に基いて当業者が容易に発明をすることができたものであるから、特許法第２９条第２項の規定により、特許出願の際に独立して特許を受けることはできない。 
　 
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。 
　
　
第３　本願発明について
１．本願発明
　平成２０年　８月２１日付けの手続補正は上記のとおり却下されたので、本願の請求項１〜９に係る発明は、願書に添付された特許請求の範囲の請求項１〜９に記載されたとおりのものであるところ、請求項１に係る発明（以下「本願発明」という。）は、次のとおりのものである。 
　
「【請求項１】
　電子部品を冷却するヒートシンクファンであって、
　中心軸を有する柱状の基部と、該中心軸から離れる方向に放射状に延伸し且つ終端縁を有する複数の板状放熱フィンと、を有するヒートシンクと、
　前記中心軸と略同軸上に配置され前記ヒートシンクに対し冷却用の空気流を供給する軸流ファンと、前記中心軸の軸線方向一端側に配置され前記軸流ファンを支持するハウジングと、該ハウジングから前記ヒートシンクの他端側に延伸する腕部と、該腕部の先端部に形成された係合部と、を有するファンモータ部と、を備え、
　前記放熱フィンの終端縁にて形成される前記ヒートシンク側周包絡面には、前記中心軸から離れる方向に突出する凸部又は前記中心軸に向かう方向に窪む凹部が形成され、該凸部又は凹部に前記係合部が係合することにより前記ファンモータ部の軸線方向への移動が規制されていることを特徴とするヒートシンクファン。」
　
２．引用例
　原査定の拒絶の理由で引用された引用例及びその記載事項は前記「第２　［理由］２．」に記載したとおりである。
　
３．対比・判断
　本願発明は、上記「第２［理由］」で検討した本願補正発明から、ハウジングから前記ヒートシンクの他端側に延伸する腕部について「一対」であるとの限定、及び、ヒートシンク側周包絡面に形成された中心軸に向かう方向に窪む凹部について「周方向に間隔を開けた２箇所の位置に」形成する限定を解除したものに相当する。
　そうすると、本願発明の構成要件をすべて含む本願補正発明が前記「第２　［理由］３．」に記載したとおり、刊行物１に記載された発明及び従来からの周知事項に基いて容易に発明をすることができたものであるから、本願発明も、同様の理由により、刊行物１に記載された発明及び従来の周知事項に基いて当業者が容易に発明をすることができたものである。
　
４．むすび
　したがって、本願の請求項１に係る発明は、刊行物１に記載された発明及び従来の周知事項に基いて当業者が容易に発明をすることができたものであるから、特許法第２９条第２項の規定により特許を受けることができない。
　以上のとおり、本願の請求項１に係る発明は特許を受けることができないものであり、他の請求項２〜９に係る発明については検討するまでもなく、本願は拒絶すべきものである。
　よって、結論のとおり審決する。